(57)【要約】  【課題】試料の旋光度を測定することにより試料内の旋光性物質の濃度を測定する濃度測定に於いて、試料中に含まれる複数の成分の濃度測定は多くの情報を得ることができるため有用である。しかし、測定対象物質以外の旋光性物質の影響を取り除くためには、繁雑な操作が必要であったり、操作に時間がかかってしまったりといくつかの問題があった。【解決手段】試料の旋光度を測定することにより試料内の旋光性物質の濃度を測定する濃度測定装置に、測定対象物質の旋光度測定を妨げる阻害物質を除去するフィルターを設け、フィルターは除去対象物質の異なる充填剤を複数有しており、各充填剤の飽和時間の差を利用することで、試料中に含まれる複数の成分の濃度を測定することが可能となる。  【選択図】図１
2008209204.tif 000002
【特許請求の範囲】
【請求項１】
旋光性を利用して試料中に含まれる旋光性物質の濃度を測定する濃度測定装置であって、測定対象物質の旋光度測定を妨げる阻害物質を除去するフィルターを有し、該フィルターは除去対象物質の異なる充填剤を複数有し、該充填剤の飽和時間の差を利用して前記試料中に含まれる複数の成分の濃度を測定する濃度測定装置。
【請求項２】
前記フィルターを通過した後の試料の旋光度を連続的に監視する監視手段を備えることを特徴とする請求項１に記載の濃度測定装置。
【請求項３】
前記監視手段によって監視される旋光度が定常状態になったときの旋光度を記憶する記憶手段を備えることを特徴とする請求項２に記載の濃度測定装置。
【請求項４】
前記記憶手段に記憶させた旋光度を複数用い演算することで、試料中に含まれる複数の成分の濃度を測定することを特徴とする請求項３に記載の濃度測定装置。
【請求項５】
前記監視手段において、旋光度が定常状態を示さなかった場合に、旋光度が変化し始めた変曲点を用いて前記試料中に含まれる成分の濃度を測定することを特徴とする請求項２から請求項４のいずれか一項に記載の濃度測定装置。
【請求項６】
前記充填剤は、イオン交換樹脂、合成吸着剤、活性炭またはそれらを組み合わせたものであることを特徴とする請求項１から請求項５のいずれか一項に記載の濃度測定装置。
【請求項７】
前記試料は尿であり、前記測定対象物質が尿中グルコースまたは尿中タンパク質であることを特徴とする請求項１から請求項６のいずれか一項に記載の濃度測定装置。
【発明の詳細な説明】
【技術分野】
【０００１】
本発明は旋光性を利用した旋光性物質の濃度測定装置に関するものであり、特に、フィルターを利用し、複数の成分の濃度を測定する濃度測定装置に関するものである。
【背景技術】
【０００２】
従来、尿中成分の検査や分析は被験者の健康状態を知ることができ、また、試料採取に痛みや労力が伴わないため医療機関や集団検診の場で行われてきた。最近では、家庭用の尿検査試験紙が普及しており、自分でチェックすることもできる。しかし、試験紙を用いる手法は、不衛生的であり、また、一度紙コップなどで尿を採取してから試験紙を浸すなど、作業も面倒である。尿中のグルコース濃度、すなわち尿糖を判別する方法として酵素電極法のような化学反応による検出方法も広く用いられているが、ＧＯＤ固定化酵素電極法などの酵素法は電極を試料に接触させる必要があり、装置の一部の交換、緩衝液の追加などの処置を行う必要があり、一定期間毎のメンテナンスを必要とする。
【０００３】
一方、旋光度等光学的手法に基づいた尿中グルコース測定は、直接試料に触れることなく測定することが可能であるため、特に部品の交換や消耗品等を必要とせず、長い期間において測定が可能である。また旋光度などを用いる光学的な方式では測定に際してユーザーが尿に触れる危険性もなく、無自覚で測定可能という利点もある。
【０００４】
旋光度より試料中の旋光性物質の濃度を求める方法の原理は式１に基づく。
θ（λ）＝α（λ）・ｃ・Ｌ    （式１）
ここで、θ（λ）は光線の波長をλとしたときの旋光度、α（λ）は光線の波長をλとしたときの旋光性物質の比旋光度、ｃは試料中における旋光性物質の濃度、Ｌは試料の光路長である。式１において、比旋光度α（λ）は旋光性物質固有の係数であり、光線の波長λや温度によって変化する値ではあるが、濃度測定前に既知の値である。また、試料の光路長Ｌも同様に濃度測定前に既知の値であるため、試料に光線を入射したときの旋光度θ（λ）を測定することにより、旋光性物質の濃度ｃを求めることが出来る。
【０００５】
上記の方法により旋光度測定より濃度を求めることは可能である。しかし、実際の測定試料は所望の旋光性物質以外の旋光性物質が混在することが多い。例えば、尿中グルコース測定の場合は、尿中にはタンパク質の一種であるアルブミンや、複数のアミノ酸が排泄される。また、サプリメントの摂取などにより基準値以上のアスコルビン酸が排泄されることもある。そこで、尿中グルコース測定に限らず、ある尿中成分を測定する上で阻害物質となる成分の影響を取り除く必要があり、その手段としては、化学的な手法と濾過などの物理的な手法が考えられる。
【０００６】
例えば特許文献１のように、試料中で電荷を発生させることで、阻害物質を測定に影響を与えない位置に局在化させる方法が挙げられている。また、特許文献２のように、尿の旋光度を測定した後に、尿を加熱してタンパク質を白濁化させ、その白濁度合いを透過光または散乱光の強度から測定することにより、尿糖値と尿タンパク値を同時に求める測定方法が知られている。
【０００７】
【特許文献１】特開２００２−１０７３５６号公報  (第２頁)
【特許文献２】特開平１１−１３３０２２号公報  (第３頁)
【発明の開示】
【発明が解決しようとする課題】
【０００８】
上述した方法を用いて、尿中に含まれる複数の成分の濃度を測定するには、以下のような問題が生じる。阻害物質を測定に影響を与えない位置に局在化させる方法では、尿中に数種類入っているアミノ酸に関して、アミノ酸はｐＨによってイオン状態が異なることは既知であり、ほぼ弱酸性領域で変動する尿のｐＨにおいては、両性イオンの状態であるアミノ酸が多数存在する。この両性イオンにはＮＨ3+とＣＯＯ-が両方存在し、電気的に中性であるため、電荷を発生させることによって移動することはなく、この手法での局在化は難しい。また、この方法は、尿中グルコースの濃度を測定するための方法であり、尿中に含まれる複数の成分の濃度を測定することはできない。
【０００９】
尿の旋光度を測定した後に、尿を加熱してタンパク質を白濁化させ、その白濁度合いを透過光または散乱光の強度から測定することにより、尿糖値と尿タンパク値を同時に求める測定方法では、白濁化させるために試料の温度を60〜80℃に加熱する必要があり、操作が繁雑で短時間での処理が難しいことや、試料の白濁化に伴う測定装置内の汚れによる測定誤差が懸念される。
【００１０】
そこで、本発明では上述した従来技術による問題点を解決し、阻害物質が含まれる尿においても尿中の複数の成分の濃度を測定することができる濃度測定装置を提供することを目的とする。
【課題を解決するための手段】
【００１１】
前述した課題を解決するために、本発明による濃度測定装置は、旋光性を利用して試料中に含まれる旋光性物質の濃度を測定する濃度測定装置であって、測定対象物質の旋光度測定を妨げる阻害物質を除去するフィルターを有し、フィルターは除去対象物質の異なる充填剤を複数有し、各充填剤の飽和時間の差を利用して、試料中に含まれる複数の成分の濃度を測定することを特徴とする。
【００１２】
また、フィルターを通過した後の試料の旋光度を連続的に監視する監視手段を有していることが好ましい。
【００１３】
また、監視手段によって監視される旋光度が一定の状態になったことを感知する感知手段を有していることが好ましい。
【００１４】
また、感知手段によって感知された旋光度を記憶する記憶手段を有していることが好ましい。
【００１５】
また、記憶手段に記憶させた旋光度を複数用い演算することで、試料中に含まれる複数の成分の濃度を測定することが好ましい。
【００１６】
また、充填剤は、イオン交換樹脂、合成吸着剤、活性炭またはそれらを組み合わせたものであることが好ましい。
【００１７】
また、本発明の濃度測定装置における試料は尿であり、測定対象物質が尿中グルコースおよび尿中タンパク質である場合により有用である。
【００１８】
（作用）
例えば、尿の旋光度を測定することにより尿中グルコース濃度や尿中タンパク質濃度を測定する濃度測定装置において、測定対象物質の旋光度測定を妨げる阻害物質の影響を取り除くことは必要不可欠である。そこで、測定対象物質以外の旋光性物質を除去するフィ
ルターを備え付けることで、阻害物質が除去され測定対象物質の濃度測定が可能になる。フィルターは除去対象物質の異なる充填剤を複数有しており、各充填剤の飽和時間の差を利用することで尿中に含まれる複数の成分の濃度を測定することができる。
【発明の効果】
【００１９】
以上の説明のように、本発明の濃度測定装置においては下記に記載する効果を有する。
【００２０】
試料の旋光度を測定することにより試料内の旋光性物質の濃度を測定する濃度測定装置において、測定対象物質の濃度測定を妨げる阻害物質を除去するフィルターが除去対象物質の異なる充填剤を複数有し、各充填剤の飽和時間の差を利用することで、試料中に含まれる複数の成分の濃度を測定することが可能となる。
【００２１】
また、本発明においては、尿試験紙による複数の成分の濃度測定が、尿糖、尿タンパク質等の測定項目ごとに酵素反応や化学反応を利用し、試験紙上の呈色を目視判定や機器における反射率を測定するため、着色尿の影響を受ける可能性があることや、半定量でしか測定できない方法であることに比べて、旋光度を利用し、除去対象物質の異なる充填剤を複数有したフィルターを備え付け、各充填剤の飽和時間の差を利用することで、高精度な複数の成分の濃度測定が可能となる。
【発明を実施するための最良の形態】
【００２２】
以下、図面を用いて本発明の濃度測定装置の最適な実施形態を説明する。
【００２３】
（第一の実施形態）
まず、図１は本発明の第一の実施形態の例である。図１において採取部１は、試料が採取される容器である。採取部１には採取感知センサー２が取り付けられており、試料の有無を感知する。例えば、光による光学的検出や電極による電気的検出方法が考えられる。採取感知センサー２により試料が感知されると、制御装置３に信号が送られる。制御装置３は、全体システムを制御するためのＣＰＵおよび周辺回路から構成されている。制御装置３は試料感知の信号を受けると、試料送液バルブ４を開き、送液ポンプ５を起動する信号を送る。試料送液バルブ４と送液ポンプ５によって、試料は送液チューブ６を通り、フィルター７を通過する。フィルター7には、試料中の測定対象物質の旋光度測定を妨げる阻害物質を除去する充填剤８が充填されている。充填剤８は、２種類の充填剤８ａと８ｂが充填されており、これらの充填剤の除去対象物質は異なるものである。フィルター７を通り、阻害物質が除去された試料は、旋光度測定部９へと送液される。旋光度測定部９に入った試料の旋光度は、制御装置３の指示によって測定される。
【００２４】
図２は本発明の旋光度測定部における実施形態の例である。図２において例えばレーザダイオードなどの光源２１より出射された光線をコリメートレンズ２２に入射する。コリメートレンズ２２によって平行光となった光線を次に偏光子２３に入射する。偏光子２３によって光線は偏光子２３の透過軸方向に光軸を持つ直線偏光となる。次に偏光子２３を透過してきた直線偏光を電気光学的な旋光度変調素子２４に入射する。図２に示す本実施形態においては、電気光学的な旋光度変調素子２４としてホモジニアス配向の液晶素子２５とλ／４波長板２６を用いている。ここで、液晶素子２５へ印加する電圧を変化させることにより、直線偏光の偏光軸方向を回転させること、すなわち旋光させることが出来る。
【００２５】
旋光度変調素子２４によって旋光度が変調された光線は次に旋光度測定セル２７に入射する。ここで、旋光度測定セル２７内に試料がある場合、旋光度測定セル２７を通過する光線は、試料を通過する際、その試料内の旋光性物質によって未知の変位量だけ旋光する。このときの変位量は上述の式１のように試料内の旋光性物質の濃度、試料を通過する光
線の光路長に比例する。
【００２６】
旋光度測定セル２７を通過した光線は次に検光子２８に入射する。検光子２８においては、検光子２８の透過軸方向の光成分のみが透過し、光検出器２９の受光部に到達する。光検出器２９は受光した光線の強度を電圧信号として出力するものである。このとき、例えば、検光子２８を回転させる、もしくは旋光度変調素子２４によって直線偏光の旋光度の変調範囲や変調量を変化させるなどの手段を用い、そのときの光検出器２９を観察することによって、試料の旋光度を測定することが出来る。マイクロコンピューター等の監視手段３０が、光検出器２９で受光した光線の強度を示す電圧信号を常に受信することで、旋光度を連続的に監視できる。また、記憶手段３１は、監視手段３０で監視していた旋光度が定常状態になった場合に、その値を記憶しておくものである。
【００２７】
また、上述の実施形態における電気光学的な旋光度変調手段としては液晶素子とλ／４波長板を用いているが、例えばファラデーセル、光弾性変調子またはポッケルセルなど、その他の素子を用いた場合にも本手法は有効である。
【００２８】
また、上述の実施形態において、監視手段と記憶手段はそれぞれ別のものとしているが、例えばマイクロコンピューターを用いた場合など、監視手段と記憶手段が同一のものでもよい。
【００２９】
次に、図３はフィルター７の詳細図である。フィルター７には、試料中に含まれる測定対象物質の旋光度測定を妨げる阻害物質を除去するための充填剤８が充填されている。充填剤８は充填剤８ａと８ｂから成り、各充填剤において除去対象物質が異なる。また、フィルター出入り口付近には、充填剤がフィルターの外に出てこないようにするために多孔性フリット３５が備え付けられている。
【００３０】
例えば、試料を尿とする。尿中には、様々な成分が含まれており、中でも旋光性を持つものとして、グルコース、タンパク質、アミノ酸、アスコルビン酸などがある。また、個人の体質や疾患、その時々の体調や飲食状態によっても尿中の成分の種類や量が異なる。尿中成分の測定において、尿中グルコース濃度すなわち尿糖値と尿中タンパク質濃度は、糖尿病や腎臓疾患の早期発見や、それら疾患を持つ患者への投薬や食事療法、運動療法などの治療の効果を示す指標になるため重要視されており、家庭での簡易測定が望まれている。そこで、尿中に含まれるグルコースとタンパク質の濃度を同時に測定することを考える。
【００３１】
充填剤８ａにタンパク質除去充填剤、８ｂにアミノ酸やアスコルビン酸、色素成分などを除去する充填剤を充填する。この時の充填剤８ａのタンパク質除去充填剤としては、例えば、母体がポリスチレンジビニルベンゼン、表面積が５５０ｍ2/ｇ、平均細孔径が４００Å、極性は無極性の合成吸着剤などがあげられる。またハイドロキシアパタイトなども有効である。充填剤８ｂには、合成吸着剤や活性炭などの高い吸着能力を持った充填剤が有効である。また、イオン性の旋光成分はイオン交換樹脂のようなイオン交換作用をもったもので除去するとよい。阻害物質が陰イオン型のアミノ酸（Ｈ2Ｎ−ＣＨＲ−ＣＯＯ-）であり、強塩基性陰イオン交換樹脂で除去する場合の化学式１は以下の通りである。
（化１）
Ｒ−Ｎ・ＯＨ- ＋ Ｈ2−ＣＨＲ'−ＣＯＯ-   →                                   
Ｒ−Ｎ・ＣＯＯ-−ＣＨＲ'−ＮＨ2 ＋ＯＨ- 
ここでＲ−Ｎ・ＯＨ-は強塩基性陰イオン交換樹脂を示し、Ｒ'はアミノ酸特有の有機分子を示す。
【００３２】
試料を尿とし、尿中グルコース濃度及び尿中タンパク質濃度測定において、上記に記載のフィルターに試料を通液した場合、旋光度測定部９で測定された旋光度を監視手段３０で連続的に監視した場合の経過時間Ｔに伴う旋光度値θの変化を図４に示す。試料をフィルターに流し始めた直後は、フィルターに含まれる水分などの影響により、旋光度は徐々にしか変化しない。しかし、経過時間Ｔ１において、旋光度θ１は定常状態になる。この値は、フィルターに充填された充填剤８ａで尿中のタンパク質が除去され、充填剤８ｂでアミノ酸やアスコルビン酸、色素成分などが除去され、尿中に含まれる旋光性物質の中では、グルコースのみが流出した場合の値となり、上述の式１より尿中のグルコース濃度が測定できる。
【００３３】
経過時間Ｔ１におけるθ１の値を用いてグルコース濃度測定後も、試料である尿をフィルターに流し続けると、旋光度は定常状態から再び変化し始める。これは、充填剤８ａの飽和時間つまり阻害物質の除去可能量を予め導き出しておき、ある一定量のタンパク質を除去し終えるとタンパク質が流出するように充填剤の量を設定してあるからである。一方、充填剤８ｂは、充填剤８ａに比べて、除去対象となる阻害物質が除去できる充分な量を充填しておく。したがって、経過時間Ｔ２における旋光度θ２は充填剤８ａが飽和した、つまり除去能力を失ったため、タンパク質とグルコースが流出してきた値となる。尿中に含まれているタンパク質のほとんどはアルブミンであることと、試料中に複数種類の旋光性物質が含まれている場合の濃度を求める方法の原理は下述の式２に基づくことより、経過時間Ｔ２におけるθ２の値は試料中のグルコースとタンパク質の濃度に由来する旋光度であり、θ２からグルコースの濃度に由来するθ１の値を減算することにより、タンパク質の濃度を求めることができる。
【００３４】
θ（λ）＝｛α1（λ）×ｃ1＋α2（λ）×ｃ2・・・＋αn（λ）×ｃn｝×Ｌ  （式２）
ここで、θ（λ）は光線の波長をλとしたときの旋光度、α1（λ）は光線の波長をλとしたときの旋光性物質１の比旋光度、ｃ1は試料中における旋光性物質１の濃度、α2（λ）は光線の波長をλとしたときの旋光性物質２の比旋光度、ｃ2は試料中における旋光性物質２の濃度、αn（λ）は光線の波長をλとしたときの旋光性物質ｎの比旋光度、ｃnは試料中における旋光性物質ｎの濃度、Ｌは試料の光路長である。また、ｎは自然数である。
【００３５】
また、上述の実施形態において、２種類の充填剤を層になるように充填し、測定対象物質は尿中グルコースとタンパク質としているが、これに限定されるものではなく、２種類の充填剤が混在するように充填した場合も有効であり、また、充填剤の種類や数を変化させることにより、例えばアスコルビン酸やアミノ酸等の２種以上の複数成分の濃度測定も可能である。
【００３６】
（第二の実施形態）
次に、第二の実施形態について図５を用いて説明する。阻害物質を除去するためのフィルターには、合成吸着剤やイオン交換樹脂などの吸着剤が充填されているが、このフィルターを再度使用可能な状態にするためには、吸着剤の再生もしくは交換が必要である。例えば、アミノ酸が吸着し、交換能が飽和状態となった強塩基性陰イオン交換樹脂を再生する場合の化学式２は以下の通りである。この場合の再生剤としては、アルカリイオン水や、水酸化ナトリウムなどが考えられる。
（化２）
Ｒ−Ｎ・ＣＯＯ-−ＣＨＲ'−ＮＨ2 ＋ＯＨ-   →
Ｒ−Ｎ・ＯＨ- ＋ Ｈ2−ＣＨＲ'−ＣＯＯ- 
ここでＲ−Ｎ・ＯＨ-は強塩基性陰イオン交換樹脂を示し、Ｒ'はアミノ酸特有の有機分子を示す。
【００３７】
再生剤は、フィルターの充填剤の種類によって異なり、他にも、塩酸や塩化ナトリウム溶液などが考えられる。また、再生を行う手法としては、充填剤を再生剤中に浸水させる方法や充填剤に再生剤を流す方法などがある。複数の成分の濃度測定を行うために、異なる種類の充填剤をフィルターに充填している場合、再生剤は充填剤ごとに異なっているため再生が困難である。そこで、充填剤ごとに別々のフィルターを設け、再生剤を通液するための流路を設ける。
【００３８】
フィルター５１には、除去対象物質の異なる充填剤５１ａと充填剤５１ｂが充填されている。試料は通液チューブ５２を通り、フィルター５１を通過する。測定が終了すると、まず、充填剤５１ａを再生するための再生剤が通液チューブ５２を通り、充填剤５１ａを通過することで充填剤５１ａの再生を行う。次に、充填剤５１ｂを再生するための再生剤が再生剤チューブ５３を通り、開放された再生剤バルブ５４を通り、充填剤５１ｂを通過することで充填剤５１ｂの再生を行う。
【００３９】
このようにして、充填剤を再生し繰り返し使用することで、使用済みのフィルターを交換する手間が省け、ユーザーのメンテナンス作業を軽減する濃度測定装置の提供が可能になる。また、同一種類の充填剤を複数個備え付けたフィルターカセットを使用し、測定が終わった充填剤を測定用の流路ではない別の流路を用いて再生を行うことで、測定間隔の短い場合の測定にも対応することも可能となる。
【００４０】
（第三の実施形態）
次に、第三の実施形態について図６を用いて説明する。装置構成の概略及び旋光度を測定する系に関しては、第一の実施形態と同様のものとする。第一の実施形態と同様に試料を尿とし、尿中グルコース濃度及び尿中タンパク質濃度測定を行った場合、旋光度測定部で測定された旋光度を連続的に監視した場合の経過時間Ｔに伴う旋光度値θの変化は図４になる。しかし、尿中に含まれている成分の種類や量は個人の体質や疾患、その時々の体調や飲食状態によっても異なり、特に腎臓疾患を有する患者の場合、尿中へタンパク質の異常排泄が起こりうるため、必ずしも旋光度が図４のような変化を示すとは限らない。フィルターに充填するタンパク質除去充填剤は、飽和時間つまり除去可能量を予め導き出してあり、ある一定量のタンパク質を除去し終えるとタンパク質が流出するように充填剤の量を設定してあるが、その量よりも尿中に含まれるタンパク質の量が非常に多かった場合の経過時間Ｔに伴う旋光度値θの変化は図６のようになる。
【００４１】
試料をフィルターに流し始めた直後は、フィルターに含まれる水分などの影響により、旋光度は徐々にしか変化しないが、試料を流し続けると本来であれば、タンパク質除去充填剤とアミノ酸やアスコルビン酸、色素成分などを除去する充填剤の効果によって、グルコースのみが流出した値を示す定常状態になる。しかし、試料中に含まれるタンパク質含有量が多すぎる場合は、グルコースが全て流出する以前に、タンパク質除去充填剤が飽和してしまい、除去能力を失うため定常状態を示す前の経過時間Ｔ３において旋光度が再び変化し始める。この場合、定常状態を検知できないため、グルコースのみが流出した値の測定つまりグルコース濃度測定はできなくなるのだが、旋光度が減少し始めた変曲点θ３における経過時間Ｔ３よりタンパク質濃度を求めることができる。
【００４２】
例えば、タンパク質除去充填剤として１０mgのタンパク質が除去可能である量をフィルターに充填したとする。流速５ml/minで試料を流した場合に旋光度が立ち上がってから、旋光度が減少し始めた変曲点θ３における経過時間Ｔ３までに時間が３０秒かかったとすると、３０秒間つまり試料を２.５ml流す間に、１０mgのタンパク質を除去したことになる。したがって、この試料の含まれるタンパク質の濃度は４mg/mlとなる。
【００４３】
変曲点θ３における経過時間Ｔ３を用いてタンパク質濃度測定後も、試料である尿をフィルターに流し続けると、旋光度は変化し続け、経過時間Ｔ４において定常状態になり旋光度θ４を得ることができる。この値は、フィルターに充填されたアミノ酸やアスコルビン酸、色素成分などが除去する充填剤によりそれらの阻害物質は除去されているが、タンパク質除去充填剤は除去能力を失ったためにタンパク質は流出しており、尿中に含まれる旋光性物質の中では、グルコースとタンパク質が流出した場合の値となる。よって、経過時間Ｔ４におけるθ４から、変曲点θ３における経過時間Ｔ３より求めたタンパク質濃度に由来する旋光度を減算することにより、グルコースの濃度を求めることができる。
【００４４】
ここで、上述の実施形態においては試料として尿および測定対象物質として尿中グルコース、尿中タンパク質としているが、これに限るものではなく、様々な成分が混在している試料中で特定の旋光性物質の濃度を測定する際には有効である。
【００４５】
また、上述の実施形態においてはフィルターの充填剤は２種類であり測定対象物質も２種類であるが、これに限るものではなく、複数種類の充填剤を用い複数種類の成分の濃度を測定することも可能である。
【００４６】
また、物質によって、偏光面を右に回転させる物質である右旋光物質と左に回転させる左旋光物質があり、それぞれ右旋光を記号で＋と表記し、左旋光を−と表記するため、測定対象物質や除去対象物質によっては、上述の実施形態においてグラフの符号が変化する可能性がある。
【図面の簡単な説明】
【００４７】
【図１】本発明の第一の実施形態における濃度測定装置の構成を示す平面図である。
【図２】本発明の濃度測定装置の第一の実施形態における旋光度測定部の構成を示す概略図である。
【図３】本発明の濃度測定装置の第一の実施形態におけるフィルター部の構成を示す概略図である。
【図４】本発明の濃度測定装置による濃度測定における経過時間と旋光度との関係を示す図である。
【図５】本発明の第二の実施形態における濃度測定装置の構成を示す概略図である。
【図６】本発明の第三の実施形態での濃度測定装置による濃度測定における経過時間と旋光度との関係を示す図である。
【符号の説明】
【００４８】
１  採取部
２  採取感知センサー
３  制御装置
４  試料送液バルブ
５  送液ポンプ
６  送液チューブ
７  フィルター
８  充填剤
９  旋光度測定部
２１  光源
２２  コリメートレンズ
２３  偏光子
２４  旋光度変調素子
２５  液晶素子
２６  λ/４波長板
２７  旋光度測定セル
２８  検光子
２９  光検出器
３０  監視手段
３１  記憶手段
３５  多孔性フリット
５１  フィルター
５２  通液チューブ
５３  再生剤チューブ
５４  再生剤バルブ
【図１】
2008209204.tif 000003
【図２】
2008209204.tif 000004
【図３】
2008209204.tif 000005
【図４】
2008209204.tif 000006
【図５】
2008209204.tif 000007
【図６】
2008209204.tif 000008